(57)【要約】【課題】建設後においてスラブの固有振動数を容易に変化させることができるようにした基礎構造体、及び、スラブに設置される振動発生源の振動特性が変わる場合の基礎構造体の振動伝播低減方法を提供する。【解決手段】基礎構造体１は、複数の杭２と、複数の杭の杭頭部３と接合されたスラブ４とを備え、複数の杭のうちの少なくとも１つがスラブと切り離し可能なようにスラブと接合された。また、振動伝播低減方法は、基礎構造体のスラブ上に設置された振動発生源の振動特性が変わった場合において、スラブと切り離し可能なようにスラブと接合されていた杭（調整杭２Ａ）とスラブとの接合構造を変更してスラブの固有振動数を変更することにより、接合構造の変更後のスラブの最大加速度を、接合構造の変更前のスラブの最大加速度よりも小さくした。【選択図】図１
2012188897.tif 000002
【特許請求の範囲】
【請求項１】
複数の杭と、前記複数の杭の杭頭部と接合されたスラブとを備え、前記複数の杭のうちの少なくとも１つが前記スラブと切り離し可能なように前記スラブと接合されたことを特徴とする基礎構造体。
【請求項２】
前記杭と前記スラブとを切り離し可能に接合するための接合構造は、前記スラブに上下に貫通するように形成された貫通孔と、前記貫通孔に挿入された前記杭と前記スラブとを接合する接合手段とを備え、
前記杭の外周面と前記貫通孔の内周面とが縁切りされた状態で、前記杭と前記スラブとが前記接合手段によって接合された構造であることを特徴とする請求項１に記載の基礎構造体。
【請求項３】
杭頭部がスラブに接合された複数の杭のうちの少なくとも１つを前記スラブと切り離し可能なように前記スラブと接合して構成された基礎構造体の前記スラブ上に設置された振動発生源の振動特性が変わった場合において、
前記スラブと切り離し可能なように前記スラブと接合されていた前記杭と前記スラブとの接合構造を変更して前記スラブの固有振動数を変更することにより、前記接合構造の変更後の前記スラブの最大加速度を、前記接合構造の変更前の前記スラブの最大加速度よりも小さくしたことを特徴とする基礎構造体の振動伝播低減方法。
【請求項４】
前記杭と前記スラブとの接合構造の変更は、前記スラブと切り離し可能なように前記スラブと接合されていた前記杭と前記スラブとを切り離すことにより行うことを特徴とする請求項３に記載の基礎構造体の振動伝播低減方法。
【請求項５】
前記杭と前記スラブとの接合構造の変更は、前記スラブと切り離し可能なように前記スラブと接合されていた前記杭と前記スラブとを間挿部材を介して接合することにより行うことを特徴とする請求項３に記載の基礎構造体の振動伝播低減方法。
【請求項６】
前記間挿部材として弾性体を用いたことを特徴とする請求項５に記載の基礎構造体の振動伝播低減方法。
【発明の詳細な説明】
【技術分野】
【０００１】
本発明は、杭とスラブとが接合されて構成された基礎構造体において、スラブの固有振動数を変更可能とした基礎構造体等に関する。
【背景技術】
【０００２】
従来、杭の杭頭部とマットスラブと呼ばれるスラブとが接合されて構成された基礎構造体が知られている。
【先行技術文献】
【特許文献】
【０００３】
【特許文献１】特開平１１−１５２７５７号公報
【発明の概要】
【発明が解決しようとする課題】
【０００４】
スラブに機械等の振動発生源を設置することが予定されている、例えば、工場、クリーンルーム等の建物を建設する場合、スラブに設置される振動発生源より生じる振動数と共振しない固有振動数を持つようなスラブを設計することで、振動発生源からスラブを介して他部への振動伝播を低減させることが考えられる。
しかしながら、従来は、例えば、杭と杭の上方に配置された基礎フーチングとがスラブを挟んで接合されているため、建設後においては、杭とスラブとを切り離すことはできないので、スラブの固有振動数を変化させることができない。
従って、スラブに設置される振動発生源の振動特性が変わって当該振動発生源により発生する振動数とスラブの固有振動数とが一致した場合には、共振により振動が大きくなって振動発生源から他部に伝播されてしまう。
本発明は、建設後においてスラブの固有振動数を容易に変化させることができるようにした基礎構造体、及び、スラブに設置される振動発生源の振動特性が変わった場合の基礎構造体の振動伝播低減方法を提供する。
【課題を解決するための手段】
【０００５】
本発明に係る基礎構造体は、複数の杭と、前記複数の杭の杭頭部と接合されたスラブとを備え、前記複数の杭のうちの少なくとも１つが前記スラブと切り離し可能なように前記スラブと接合されたので、杭とスラブとを切り離すことにより、スラブの固有振動数を容易に変化させることができる。
前記杭と前記スラブとを切り離し可能に接合するための接合構造は、前記スラブに上下に貫通するように形成された貫通孔と、前記貫通孔に挿入された前記杭と前記スラブとを接合する接合手段とを備え、前記杭の外周面と前記貫通孔の内周面とが縁切りされた状態で、前記杭と前記スラブとが前記接合手段によって接合された構造であるので、杭の杭頭部を貫通孔より上方に突出させることができるようになって、杭とスラブとの接合構造を簡単にでき、杭とスラブとの接合作業及び杭とスラブとを切り離す切り離し作業を容易に行うことができるようになる。
本発明に係る基礎構造体の振動伝播低減方法によれば、杭頭部がスラブに接合された複数の杭のうちの少なくとも１つを前記スラブと切り離し可能なように前記スラブと接合して構成された基礎構造体の前記スラブ上に設置された振動発生源の振動特性が変わった場合において、前記スラブと切り離し可能なように前記スラブと接合されていた前記杭と前記スラブとの接合構造を変更して前記スラブの固有振動数を変更することにより、前記接合構造の変更後の前記スラブの最大加速度を、前記接合構造の変更前の前記スラブの最大加速度よりも小さくしたので、振動発生源から他部への振動伝播を低減させることができる。
前記杭と前記スラブとの接合構造の変更は、前記スラブと切り離し可能なように前記スラブと接合されていた前記杭と前記スラブとを切り離すことにより行うので、振動伝播低減方法を簡単に実現できる。
前記杭と前記スラブとの接合構造の変更は、前記スラブと切り離し可能なように前記スラブと接合されていた前記杭と前記スラブとを間挿部材を介して接合することにより行うので、スラブの固有振動数を微調整することが可能となる。
前記間挿部材として弾性体を用いたので、スラブの固有振動数を容易に下げることができる。
【図面の簡単な説明】
【０００６】
【図１】（ａ）は基礎構造体を示す平面図、（ｂ）は基礎構造体を示す断面図（実施形態１）。
【図２】基礎構造体の杭とスラブとの接合構造を示す断面図（実施形態１）。
【図３】基礎構造体の杭とスラブとの接合構造を示す断面図（実施形態１）。
【図４】（ａ）は振動発生源の振動データの一例を示し、（ｂ）はスラブの振動データの一例を示し、（ｃ）は目標のスラブの振動データの一例を示す（実施形態２）。
【図５】基礎構造体の杭とスラブとの接合構造を示す断面図（本発明の変形例）。
【図６】基礎構造体の杭とスラブとの接合構造を示す断面図（本発明の変形例）。
【発明を実施するための形態】
【０００７】
実施形態１
図１に示すように、実施形態１の基礎構造体１は、複数の杭２と、複数の杭２の杭頭部３と接合されたスラブ４とを備え、複数の杭２のうちの少なくとも１つが、スラブ４と切り離し可能にスラブ４と接合された調整杭２Ａとされ、この調整杭２Ａとスラブ４とを切り離し可能に接合するための接合構造を備えた構成である。
スラブ４は例えばマットスラブと呼ばれるスラブ厚＝１ｍ以上のスラブである。
杭２は、場所打ち杭又は既製杭である。
【０００８】
例えば、図１（ａ）に示すように、９本の杭２とスラブ４とが接合され、９本の杭２のうちの３本の杭２が調整杭２Ａとしてスラブ４と切り離し可能にスラブ４と接合され、調整杭２Ａ以外の６本の杭２Ｂがスラブ４と切り離し不能にスラブ４と接合された構成である。
図１（ｂ）に示すように、杭２Ｂの杭頭部３とスラブ４との接合構造は、例えば、杭２Ｂの杭主筋２ａを杭頭面３ｔより突出するように設けておき、杭頭部３の周囲に生コンクリートを打設することによって、杭２Ｂの杭頭部３とスラブ４とが接合された構造である。
【０００９】
図１（ａ）；図２に示すように、調整杭２Ａとスラブ４とを切り離し可能に接合するための接合構造は、スラブ４の上面４ｔより窪むように形成された有底孔５と、有底孔５の底面６とスラブ４の下面７とに貫通する貫通孔８と、貫通孔８を貫通して有底孔５の底面６よりも上方に突出する調整杭２Ａの杭頭部３とスラブ４とを接合する接合手段１０とを備え、調整杭２Ａの外周面２ｆと貫通孔８の内周面８ａとが縁切りされた状態で、調整杭２Ａの杭頭部３とスラブ４とが接合手段１０によって接合された構造である。
有底孔５及び貫通孔８は、調整杭２Ａの杭頭部の回りに有底孔５及び貫通孔８を形成するための区画となる図外の型枠を設置し、この型枠の周囲に生コンクリートを打設してスラブ４を構築した後に当該型枠を撤去することにより形成される。
また、図１（ｂ）に示すように、有底孔５の上部開口は蓋材９により塞がれる。蓋材９は、調整杭２Ａの杭頭面３ｔ及び有底孔５の底面６に接触するように形成された下面９ａを備え、下面９ａが調整杭２Ａの杭頭面３ｔ及び有底孔５の底面６に接触した状態で上面９ｔがスラブ４の上面４ｔと同一平面上に位置するように形成される。当該蓋材９を設けたことにより、凹凸のないスラブ４の上面４ｔを形成できる。
【００１０】
尚、縁切りとは、調整杭２Ａの外周面２ｆと貫通孔８の内周面８ａとが接触していないことを意味する。この調整杭２Ａの外周面２ｆと貫通孔８の内周面８ａとの隙間ｈは、例えば、数ｃｍ程度に形成される。
このように、調整杭２Ａの外周面２ｆと貫通孔８の内周面８ａとが縁切りされた状態で、調整杭２Ａとスラブ４とが接合手段１０によって接合された構造であるので、調整杭２Ａとスラブ４との接合及び切り離しを確実に行える。
【００１１】
図２に示すように、接合手段１０は、接合板と固定材とを備える。
接合板は、例えば、金属製、コンクリート製等の板により構成され、固定材によって調整杭２Ａの外周面２ｆに固定される杭側接合板２１と、固定材によってスラブ４に固定されるスラブ側接合板２２とにより構成される。
固定材は、例えば、貫通孔８を貫通して有底孔５の底面６より上方に突出する調整杭２Ａの杭頭部３の外周面２ｆに当該外周面２ｆより突出するように設けられた杭側インサートボルト２３と、有底孔５の底面６より上方に突出するように設けられたスラブ側インサートボルト２４と、これらインサートボルト２３；２４にそれぞれ締結されるナット２５；２５と、調整杭２Ａに固定された杭側接合板２１とスラブ４に固定された杭側接合板２２とを固定するための図外の固定手段（ボルト及びナット、溶接等）とにより構成される。
従って、例えば、杭側接合板２１に形成されたボルト貫通孔に杭側インサートボルト２３を貫通させて杭側インサートボルト２３にナット２５を締結することによって調整杭２Ａの外周面２ｆに杭側接合板２１を固定するとともに、スラブ側接合板２２に形成されたボルト貫通孔にスラブ側インサートボルト２４を貫通させてスラブ側インサートボルト２４にナット２５を締結することによってスラブ４の有底孔５の底面６にスラブ側接合板２２を固定する。そして、調整杭２Ａに固定された杭側接合板２１とスラブ４に固定された杭側接合板２２とを図外の固定手段により固定する。以上のように、接合手段１０によって調整杭２Ａの杭頭部３とスラブ４とが剛接合状態に接合される。尚、接合手段１０の構成は上述した構成に限らず、例えば、外周が金属である鋼管杭、ＣＦＴ杭等の調整杭２Ａであれば、調整杭２Ａと杭側接合板２１とを溶接により接合してもよい。また、杭側接合板２１とスラブ側接合板２２とに分離された接合板でなく、一体の接合板を用いて接合手段１０を構成してもよい。
【００１２】
また、接合手段１０を取り外すことによって、調整杭２Ａとスラブ４とが切り離された状態となる。
尚、接合手段１０を取り外すことによって、調整杭２Ａとスラブ４とが完全に切り離された状態となることから、調整杭２Ａ以外の杭２Ｂにより建物荷重を支持する設計としておく。
【００１３】
実施形態１の基礎構造体１によれば、調整杭２Ａとスラブ４とが切り離し可能なように接合手段１０によってスラブ４と接合された構成としたので、調整杭２Ａとスラブ４とを切り離すことにより、スラブ４の固有振動数を容易に変化させることができる。
また、調整杭２Ａの杭頭部３を貫通孔８より上方に突出させたので、調整杭２Ａの杭頭部３とスラブ４との接合構造を簡単にでき、調整杭２Ａの杭頭部３とスラブ４との接合作業及び調整杭２Ａの杭頭部３とスラブ４とを切り離す切り離し作業を容易に行うことができる。
【００１４】
次に実施形態１による基礎構造体の振動伝播低減方法について説明する。
まず、例えば、調整杭２Ａとスラブ４とが接合手段１０で接合された場合のスラブ４の固有振動数が、スラブ４に設置される振動発生源１５（図１参照）の振動特性データにおける加振力の大きい振動数のうちの加振力の一番大きい振動数と異なるようにしておく。
その後、例えば、スラブ４に設置される振動発生源１５が別の振動発生源に変更されて振動発生源の振動特性データが変わった場合に、別の振動発生源の振動特性データにおける加振力の一番大きい振動数とスラブ４の固有振動数とが一致した場合（共振した場合）には、調整杭２Ａとスラブ４との接合構造を変更することによってスラブ４の固有振動数を変えることにより、接合構造変更後のスラブ（以下、目標のスラブという）４の最大加速度を、接合構造変更前のスラブ４の最大加速度よりも小さくし、別の振動発生源から他部への振動伝播を低減させるようにした。例えば、接合手段１０を取り外して調整杭２Ａとスラブ４とを切り離すことによりスラブ４の固有振動数が変わるので、別の振動発生源の振動特性データにおける加振力の一番大きい振動数とスラブ４の固有振動数との共振を防止でき、目標のスラブ４の最大加速度を、接合構造変更前のスラブ４の最大加速度よりも小さくすることが可能となる。
【００１５】
スラブ４に設置される振動発生源１５が別の振動発生源に変更されて振動発生源の振動特性データが変わった場合において、調整杭２Ａとスラブ４とを切り離すことによりスラブ４の固有振動数を変えたとしても、別の振動発生源の振動特性データにおける加振力の一番大きい振動数とは異なる振動数と当該スラブ４の固有振動数とが一致する場合には、調整杭２Ａとスラブ４との接合構造を変更することによってスラブ４の固有振動数を変えることにより、別の振動発生源の振動数とスラブ４の固有振動数との共振を防止でき、目標のスラブ４の最大加速度を、接合構造変更前のスラブ４の最大加速度よりも小さくすることが可能となる。
この場合、調整杭２Ａとスラブ４との間に例えば鋼製の接合手段１０とは異なる材質の間挿部材２０を介在させて接合することによって、スラブ４の固有振動数を、調整杭２Ａとスラブ４とが鋼製の接合手段１０により剛接合状態に接合された場合よりも低くでき、かつ、調整杭２Ａとスラブ４とを切り離した場合よりも高くできる。
間挿部材２０は、スラブ４の固有振動数を、調整杭２Ａとスラブ４とが接合手段１０により剛接合状態に接合された場合のスラブ４の固有振動数と異なる値にできるものであれば良く、例えば、弾性体、アルミ、コンクリート等を用いることができる。
例えば、図３に示すように、杭側接合板２１と調整杭２Ａとの間に間挿部材２０としてばねやゴムのような弾性体３０を介在させた状態で調整杭２Ａとスラブ４とを接合手段１０によって接合したり、図示しないが、スラブ側接合板２２とスラブ４との間に弾性体３０を介在させた状態で調整杭２Ａとスラブ４とを接合手段１０によって接合することにより、調整杭２Ａとスラブ４との接合構造を変更する。
弾性体３０を介在させて調整杭２Ａとスラブ４とを接合した場合、調整杭２Ａとスラブ４とが例えば鋼製の接合手段１０により剛接合状態に接合された場合と比べて、スラブ４の固有振動数を低くできる。従って、調整杭２Ａとスラブ４とを切り離した場合にスラブ４の固有振動数が低くなりすぎる場合には、調整杭２Ａとスラブ４との間に弾性体３０を介在させて調整杭２Ａとスラブ４とを接合する接合構造を採用してスラブ４の固有振動数の値を調整すればよい。
【００１６】
上述した基礎構造体の振動伝播低減方法によれば、例えば、スラブ４に設置された振動発生源１５が別の振動発生源に変更されて振動発生源の振動特性が変わった場合において、調整杭２Ａとスラブ４とが接合手段１０によって剛接合状態に接合された接合構造を変更して、スラブ４の固有振動数を変更することにより、接合構造の変更後の目標のスラブ４の最大加速度を、接合構造の変更前のスラブ４（調整杭２Ａとスラブ４とが接合手段１０によって剛接合状態に接合された場合のスラブ４）に別の振動発生源が設置された場合のスラブ４の最大加速度よりも小さくしたので、別の振動発生源から他部への振動伝播を低減させることができるスラブ４を提供できる。即ち、調整杭２Ａとスラブ４とが接合手段１０によって剛接合状態に接合された場合と比べてスラブ４の最大加速度を小さくすることができ、別の振動発生源から他部への振動伝播を低減させることができるスラブ４を提供できる。
また、調整杭２Ａとスラブ４とを切り離すことにより接合構造を変更できるので、上述した振動伝播低減方法を簡単に実現できる。
また、調整杭２Ａとスラブ４とを間挿部材２０を介して接合することにより接合構造を変更することで、スラブの固有振動数を微調整することが可能となる。
また、間挿部材２０として弾性体３０を用いたので、スラブ４の固有振動数を容易に下げることができる。
【００１７】
実施形態２
予め、別の振動発生源の振動特性データ（例えば機械を作動させた場合の機械の振動特性データ、以下、第１のデータという）を実験などで取得しておくとともに、調整杭２Ａと剛接合状態に接合された状態のスラブ４の上に別の振動発生源を設置して当該別の振動発生源を作動させた場合のスラブ４の振動特性データ（以下、第２のデータという）を実験して取得しておき、スラブ４に設置される振動発生源の振動特性データが変わった場合の目標のスラブ４の固有振動数の値の選定をこれらデータに基づいて決めるようにすれば、目標のスラブ４の固有振動数の値の選定を容易にできる。
【００１８】
例えば、第１のデータとして図４（ａ）に示すようなデータが得られ、第２のデータとして図４（ｂ）に示すようなデータが得られたとする。図４（ａ）；（ｂ）のデータを見ると、第１のデータにおいて加振力が顕著に大きい振動数は振動数ｆ１及び振動数ｆ２であるのに対して、第２のデータにおいて加速度が顕著に大きい振動数は振動数ｆ１２及び振動数ｆ３４であるので、第２のデータが得られたスラブ４の卓越する固有振動数は少なくとも振動数ｆ１２及び振動数ｆ３４の２つであることが想定される。ここで、第２のデータにおける振動数ｆ１２及び振動数ｆ３４での加速度の値は、スラブ設計において許容できない値であるとする。
この場合、目標のスラブ４の最大加速度を、第２のデータにおける最大加速度（振動数ｆ１２での加速度）よりも小さくするには、目標のスラブ４の固有振動数の値を、振動数ｆ１、ｆ１２、ｆ２以外の値にすればよいことを想定できる。さらに、目標のスラブ４の最大加速度を、第２のデータにおける２番目に大きい加速度（振動数ｆ３４での加速度）よりも小さくするには、目標のスラブ４の固有振動数の値を、振動数ｆ１、ｆ１２、ｆ２、ｆ３、ｆ３４、ｆ４以外の値にすればよいことを想定できる。
即ち、第１のデータ及び第２のデータを参照し、目標のスラブ４の固有振動数の値を、第２のデータにおける振動数ｆ１２、ｆ３４及び第１のデータにおける振動数ｆ１、ｆ２、ｆ３、ｆ４を避けた値（即ち、振動数ｆ１２、ｆ３４、ｆ１、ｆ２、ｆ３、ｆ４以外の値）に選定することによって、目標のスラブ４の加速度を第２のデータよりも抑えることができると想定できる。
例えば、目標のスラブ４の固有振動数を、第１のデータにおける振動数ｆ１２の加振力４Ｎより小さい加振力０．５Ｎの振動数であって振動数ｆ１２よりも低い振動数ｆｘ、及び、第１のデータにおける振動数ｆ３４の加振力２．５Ｎより小さい加振力０．７Ｎの振動数であって振動数ｆ３４よりも低い振動数ｆｘｘに設定する。このように目標のスラブ４の固有振動数を設定することによって、例えば、図４（ｃ）に示すようなデータが得られる目標のスラブ４を形成する。即ち、図４（ｃ）に示すデータが得られる目標のスラブ４では、固有振動数をｆｘ、ｆｘｘに設定したことにより、振動数ｆ１２、ｆ３４での加速度が第２のデータよりも小さくなって、振動数ｆ１での加速度が最大値０．０７ｍ／ｓ２となっており、当該最大の加速度の値が第２のデータにおける最大加速度（振動数ｆ１２での加速度）の値０．１０５ｍ／ｓ２よりも小さくなっている。
このように、第１のデータ及び第２のデータを参照することで、目標のスラブ４の最大加速度を第２のデータにおける顕著に大きい値よりも小さくするための目標のスラブ４の固有振動数の値の選定を容易にでき、最大加速度の値をスラブ設計において許容できる値に抑えることができるスラブ４を形成することが可能となる。
尚、スラブ４の固有振動数を低くするためには、調整杭２Ａとスラブ４とを切り離せばよいが、調整杭２Ａとスラブ４とを切り離した場合においてスラブ４の固有振動数が目標の値（例えば、上述した振動数ｆｘ、ｆｘｘ）よりも低くなって当該振動数での加速度が第２のデータにより想定されるスラブ４の固有振動数での加速度よりも大きくなってしまう場合には、間挿部材２０を介在させて調整杭２Ａとスラブ４とを接合してスラブ４の固有振動数の値を高くするようにして、スラブ４の固有振動数を目標の値に設定すればよい。
【００１９】
尚、上記接合構造では、調整杭２Ａの杭頭部３を貫通孔８より上方に突出させたが、突出させないようにしてもよい。
例えば、図５；６に示すように、調整杭２Ａの杭頭面３ｔを貫通孔８内に位置させ、調整杭２Ａの杭頭面３ｔより突出させたインサートボルト３１（図５参照）の上端、あるいは、調整杭２Ａの杭頭面３ｔに連結手段３５で連結されたボルト３６（図６参照）の上端を貫通孔８より上方に突出させ、貫通孔８を跨いで有底孔５の底面６に設置される連結板３２に形成された貫通孔３７にインサートボルト３１やボルト３６の上端部を通し、当該インサートボルト３１やボルト３６の上端部にナット３３を締結することにより、調整杭２Ａの杭頭部３と有底孔５の底面６とを、連結板３２、ボルト３１；３６及びナット３３によって連結した接合構造としてもよい。
また、図５；６の連結板３２と有底孔５の底面６との間に弾性体を介在させて調整杭２Ａとスラブ４とを接合したり、インサートボルト３１やボルト３６の代りに、調整杭２Ａの杭頭部３と連結板３２とを弾性体で連結してもよい。
また、調整杭２Ａの杭頭面３ｔと連結板３２の下面とを接触させてもよい。この場合、調整杭２Ａの杭頭面３ｔと連結板３２とをインサートボルト及びナット等で接合してもよい。
【００２０】
尚、本発明においては、貫通孔８は、前記スラブ４に上下に貫通するように形成された貫通孔、即ち、前記スラブ４の上面とスラブ４の下面７とに貫通する貫通孔であればよい。ここで、スラブ４の上面とは、前述した有底孔５の底面６、又は、前述したスラブ４の上面４ｔ、又は、前述したスラブ４の上面４ｔより盛り上がるように形成された面を言う。
【００２１】
また、上記では、振動発生源の振動特性が変わる場合として、スラブ４に設置される振動発生源１５が別の振動発生源に変更される場合を例にして説明したが、スラブ４に設置される振動発生源１５の数が変更されたり、振動発生源１５の使用方法が変更されたりして振動発生源の振動特性が変わる場合においても、本発明の振動伝播低減方法を適用することで、振動発生源から他部への振動伝播を低減させることができるスラブ４を提供できる。
【符号の説明】
【００２２】
１  基礎構造体、２  杭、２Ａ  調整杭、３  杭頭部、４  スラブ、５  有底孔、
６  底面、７  スラブの下面、８  貫通孔、１０  接合手段、１５  振動発生源、
２０  間挿部材、３０  弾性体（間挿部材）。
【図１】
2012188897.tif 000003
【図２】
2012188897.tif 000004
【図３】
2012188897.tif 000005
【図４】
2012188897.tif 000006
【図５】
2012188897.tif 000007
【図６】
2012188897.tif 000008